(57)【要約】本発明は、壁に取付部材を取り付けるための組付け装置に関する。特に、タイル、化粧タイル、あるいはこれに類する壁張りを備える部屋で、低コストに簡単な手段で取付部材を容易に組み付けるために、壁と取付部材の間に接着剤もしくは接合剤を入れるための少なくとも１つの充填開口部を有するとともに、接着剤もしくは接合剤を通して分配するための上昇開口部を有する、取付部材としての本体を有する組付け装置が提案される。本体の、本体および／または壁のほうを向いている裏面は、特に液体透過性、かつ気体透過性に構成されている。
2005506497.tif 000002
【特許請求の範囲】
【請求項１】
特にタイル、大理石の板、あるいはこれに類する壁張りを備える部屋の壁、天井、またはこれに類する面に取付部材を取り付けるための組付け装置であって、前記取付部材は前記組付け装置と壁との間に接着・接合剤を入れることによって取付可能であり、前記取付部材は、タオル掛け、棚、照明具、あるいはこれに類する備品といった定置の対象物を保持する部材を受けるように構成されている、壁に取付部材を取り付けるための組付け装置において、
前記取付部材の本体（１）が、壁と前記取付部材の間に接着剤もしくは接合剤を入れるための充填開口部（２）を有しており、前記本体（１）および／または壁のほうを向いている、前記本体（１）の裏面（３）は少なくとも部分領域が液体透過性、かつ気体透過性に構成されていることを特徴とする、壁に取付部材を取り付けるための組付け装置。
【請求項２】
前記本体（１）が少なくとも１つの（上昇）開口部（５）を有していることを特徴とする、請求項１に記載の組付け装置。
【請求項３】
前記本体（１）の、壁と反対を向いているほうの前面が、前記本体（１）へ接着・接合剤を充填した後に、閉止部材（１５）によって被覆可能および／または閉止可能であることを特徴とする、請求項１または２に記載の組付け装置。
【請求項４】
前記本体（１）が特に一体で円形の成形部品として構成されていることを特徴とする、請求項１から３までのいずれか１項に記載の組付け装置。
【請求項５】
前記（上昇）開口部（５）同士の間のそれぞれに貫通部（７）が設けられていることを特徴とする、請求項１から４までのいずれか１項に記載の組付け装置。
【請求項６】
前記（上昇）開口部（５）が特に前記充填開口部（２）を中心として同心に配置されていることを特徴とする、請求項５に記載の組付け装置。
【請求項７】
前記本体（１）の、液体透過性、かつ気体透過性の１つまたは複数の部分領域（１）が、前記本体（１）に機械で取り付けられた少なくとも１つの部材（６）によって形成されていることを特徴とする、請求項１から６までのいずれか１項に記載の組付け装置。
【請求項８】
前記部材（６）が、前記本体（１）の裏面（３）にある切欠き（４）内に配置された穴付きプレートであることを特徴とする、請求項８に記載の組付け装置。
【請求項９】
前記本体（１）の裏面（３）にある前記切欠き（４）内に半径方向内側に位置する液体透過性、かつ気体透過性の前記部材（６）が、単層または多層に形成されたガーゼ封入物として形成されていることを特徴とする、請求項７および８に記載の組付け装置。
【請求項１０】
前記本体（１）の裏面（３）にある前記切欠き（４）に、多層に形成された前記ガーゼ封入物（６）が配置されている場合、前記（上昇）開口部（５）が設けられていないことを特徴とする、請求項９に記載の組付け装置。
【請求項１１】
前記本体（１）に、前記充填開口部（２）と同心に、スポンジ状または硬質スポンジ状の開放気孔材料（９）で満たされた貫通孔（８）が配置されていることを特徴とする、請求項１，２，３，４または７のいずれか１項に記載の組付け装置。
【請求項１２】
前記貫通孔（８）がガーゼ材料で満たされていることを特徴とする、請求項１１に記載の組付け装置。
【請求項１３】
前記本体（１）の全体が開放気孔材料でできていることを特徴とする、請求項１から６までのいずれか１項に記載の組付け装置。
【請求項１４】
前記本体（１）に多数の小さな貫通孔（８）が配置されていることを特徴とする、請求項１から４または６のいずれか１項に記載の組付け装置。
【請求項１５】
前記貫通孔（８）がテーパ状に形成されていることを特徴とする、請求項１４に記載の組付け装置。
【請求項１６】
前記本体（１）の裏面（３）にある前記切欠き（４）に、スポンジ状の材料からなるリング（１１）が設けられており、このリングの接触面は接着面（１３）を有しており、このリングの厚さ（１９）が接着継目の境目をなしていることを特徴とする、請求項１から１２までのいずれか１項に記載の組付け装置。
【請求項１７】
前記閉止部材（１５）がキャップ状に形成されており、これに組み込まれた連結部材によって前記本体（１）と選択的に取外し可能に連結されることを特徴とする、請求項１から１６までのいずれか１項に記載の組付け装置。
【請求項１８】
前記閉止部材（１５）の少なくとも１つの外側面の表面または内部に少なくとも１つの保持部材（１６）が設けられていることを特徴とする、請求項１７に記載の組付け装置。
【請求項１９】
前記閉止部材（１５）が貫通孔（１８）を有しており、この貫通孔を通して連結部材を前記本体（１）へ差込可能であることを特徴とする、請求項１７または１８に記載の組付け装置。
【請求項２０】
前記閉止部材（１３）が閉じた飾りキャップとして形成されていることを特徴とする、請求項１７に記載の組付け装置。
【請求項２１】
前記閉止部材（１５）の前記連結部材が、前記閉止部材（１５）の内側の外套面にあるネジ山（１７）であることを特徴とする、請求項１７に記載の組付け装置。
【請求項２２】
前記取付部材そのものが前記備品のための受け部材（保持する部材）であることを特徴とする、請求項１から１６までのいずれか１項に記載の組付け装置。
【請求項２３】
前記取付部材の前記本体（１）が特殊成形品として、前記備品を前記本体（１）へ直接取り付けることができるように形成されていることを特徴とする、請求項２２に記載の組付け装置。
【発明の詳細な説明】
【技術分野】
【０００１】
本発明は、特にタイル、大理石の板、あるいはこれに類する壁張りを備える部屋の壁に、タオル掛け、棚、あるいはこれに類する備品といった定置の対象物を保持するように構成されている取付部材を取り付けるための組付け装置に関する。
【背景技術】
【０００２】
従来技術より、サニタリーや料理の分野で、実施形態や材料がさまざまに異なる取付部材を壁に取り付けるための組付け装置が数多く公知となっているが、特に前述のような種類の壁や、タイルや大理石の板の形態の壁張りについては、たとえばタイル壁の場合、従来のやり方では取付部材がタイルとタイルの間の継目に、特に継目の交わる領域で穴によって取り付けられるという点に問題があり、この場合、それぞれ継目に接しているタイルがしばしば損傷したり割れたり、あるいはその塗料に亀裂が入ったりして、このことは、見た目にもわかる品質低下に加えて、高いコストのかかる後作業と結びついた二次損害の原因ともなり、あるいは、取付部位の場所を移す場合や、隅やエッジといった見えにくい領域で組付けの不具合が生じた場合には取付部材の取付が困難であることに加えて、後で塞がなくてはならない見苦しいだぼ穴が生じてしまう。このような理由から、取付部材はさまざまな種類の接着剤によって固定されることが多いが、このような接着剤は、接着剤の強度、取付部材の強度、組付け装置の単位面積あたり荷重、壁装置の構造といった設計的、静力学的な条件を考慮したうえで、タオル掛けや棚などといった定置の対象物の形態の他の保持部材を受けるために、取付部材が大きな力を受け止めなければならないという要求を満たさなければならない。
【発明の開示】
【発明が解決しようとする課題】
【０００３】
以上の従来技術を前提とする本発明の目的は、一方で、従来技術の前述した欠点が簡単な手段で取り除かれ、他方で、取付部材を容易に組付け可能であり、さらに、取付部材は低コストに製造可能である、特にタイル壁やタイル貼りの壁を備えている部屋の壁に取付部材を取り付けるための組付け装置を提供することである。
【課題を解決するための手段】
【０００４】
この目的を達成するために、本発明は、壁と取付部材の間に接着剤もしくは接合剤を入れるための少なくとも１つの充填開口部と、余った接着剤もしくは接合剤を排出するための少なくとも１つの開口部（上昇開口部とも呼ぶ）とを有する本体からなる、請求項１の特徴を備える組付け装置を提案する。本体の、本体および／または壁のほうを向いている裏面は、少なくとも一部領域が液体透過性および／または気体透過性に形成されている、新規は実施態様で構成されている。
【０００５】
壁と取付部材の本体との間の接着・接合剤としては、シリコン封止剤が好ましい。
【０００６】
本発明の発展形態では、充填の後に、充填開口部に挿入可能な閉止部材が、さらに、付着・接合剤を前述した成形構造部へ押し込んで、この付着・接合剤を充填通路から少なくとも部分的に押し出すための押圧部材として用いられる。
【０００７】
さらに、本体の、壁と反対を向いているほうの前面は、本体に付着・接合剤を充填した後、特に付着・接合剤が蒸発もしくは硬化した後、閉止部材によって少なくとも部分的に被覆されるようにすることが好ましい。
【０００８】
本体は特に一体の円形の成形部品として構成され、それぞれの（上昇）開口部同士の間に貫通部を有しているのが好ましい。
【０００９】
さらに、（上昇）開口部は、充填開口部を中心として特に同心に本体に配置されることが好ましい。
【００１０】
１つの有利な実施態様は、本体の裏面にある切欠きに特に機械によって取り付けられた液体透過性、かつ気体透過性の部材が、穴付きプレートとして形成されるという点にある。
【００１１】
あるいは、本体の裏面にある切欠きに半径方向内側にしっかりと当接する液体透過性、かつ気体透過性の部材が、少なくとも単層に形成されたガーゼ封入物として設けられることが考えられる。
【００１２】
１つの発展形態は、特に本体の裏面にある切欠きに配置されたガーゼ封入物が多層である場合、付着・接合剤がガーゼを直接通り抜けることであり、それによって本体に上昇開口部が少ししか必要なく、もしくはまったく必要なくなるという点にあり、このことは製造技術上のコストを引き下げる。
【００１３】
内方および外方に対して液体透過性および／または気体透過性の部材を用いることによって、付着・接合剤が硬化したときに生じる気体を逃がし、もしくは揮発性の結合剤を蒸発させることができると同時に（蒸散）、周囲空気が付着・接合剤に達することができる。
【００１４】
取付手段の他の有利な実施態様は、スポンジ状の開放気孔材料で満たされた貫通孔が特に充填開口部と同心に本体に配置されており、それにより、余った付着・接合剤がスポンジ状の材料の気孔を通じて特に部分的に直接流れ出し、それと同時に、本体の開口部にある空気や、付着・接合剤が硬化するときに生じる気体が外へ逃げることができ、この場合にも周囲空気との接触が保証されるという点である。
１つの有利な変形態様は、貫通孔がガーゼ材料で満たされているということである。
【００１５】
他の有利な変形態様は、本体全体が開放気孔材料でできているという点である。本発明のこの実施態様は、特に付着・接合剤としてシリコン封止剤が用いられる場合に好ましい。なぜなら、付着・接合剤へと向かう周囲空気の流入が非常に活発になるので、追加のコストをかけることなく、より多い量の空気中の水分を供給することができるからである。開放気孔性の本体を湿潤させることによって、空気中の水分の供給をいっそう促進することができる。
【００１６】
取付手段の実施態様についての他の有利な変形態様は、余った付着・接合剤を収容するために、および気体や空気を逃がしたり、気体や空気を供給するために、貫通する小さい穴が本体に多数配置されているという点にある。
有利な発展形態は、貫通孔が同心に形成されていることである。
【００１７】
他の有利な実施態様は、本体の裏面にある切欠きに、スポンジ状の材料からなるリングが設けられており、このリングの接触面は本体を予備固定するために接着面を有しており、このリングの厚さが接着継目の境目をなしているということがある。スポンジ状の材料からなるこのようなリングは、付着・接合剤が硬化するときに生じる気体を逃がすことをさらに、可能にし、空気の供給を可能にする。
【００１８】
付着剤もしくは接合剤を入れやすいことに関わる利点に加えて、本体の新規な構成のさらに他の利点は、付着剤もしくは接合剤と本体との間の接触面が、公知の解決策に比べて何倍も広くなり、したがって、同時に耐荷重性（受け止めることができる力）も増えるという点にある。
【００１９】
特に、製造技術の面から好都合であるばかりでなく、材料の節約にもなる閉止部材の実施態様の要諦は、閉止部材がキャップ状に形成され、本体に取外し可能に取り付けられており、対象物を保持する少なくとも１つの保持部材を有していることにある。さらに、このキャップ状に形成された閉止部材は、上記に加えて、または上記に代えて貫通孔を有しており、この貫通孔を通して連結部材を本体へ入れることが可能であることが意図され、または、キャップ状に形成された閉止部材は閉じた飾りキャップとして設けられており、この飾りキャップの中に、必要に応じて本体に差し込むことができる、たとえばタッピンねじまたはこれに類する部材等の保持部材を、必要に応じて入れることが可能であることが意図されるのが好ましい。
【００２０】
本発明による組付け装置は、さまざまな実施態様の取付部材が壁に直接取り付けられ、さまざまな対象物を公知のやり方でこれに機械で取付可能であるので、穴が必要なく、それにより、対象物を取り付ける可能性が広がるだけでなく、壁面を傷つけることなく、手の届きにくい壁区域や、多種多様な表面の壁に取付を行うことができることを特徴としている。
【００２１】
取付部材を備える組付け装置の本発明の構成により、壁、床面、天井、金属面やガラス面あるいは鏡などへ、穴をあけることなく、さまざまな対象物の簡単、確実、かつ迅速な取付を行うことができる。
【００２２】
ある種の場合において、土台（壁面）の性質のために、たとえば石膏壁やこれに類する物体であるために、このような新規な方法による取付が不可能であるときは、１つまたは複数の上昇開口部または穴を有する新規な本体を用いて、その取付を、本体にあるこの開口部または穴に挿通可能な１つまたは複数のネジによって行うことができる。しかしながら、しばしば必要となるこのような種類の取付のために、新規の本体に、さらに別の貫通孔や長孔が本体に設けられているときも本発明の範囲に含まれる。
【００２３】
本発明のさらに他の利点は、市販されているサニタリールーム用品やアクセサリー類、たとえばタオル掛け、鏡掛け、ドライヤー掛け、棚の保持具、照明具、洗剤液の容器などの備品にも、この新たな組付け装置を利用できることにある。特殊な用途では、本体およびこれに適合する閉止部材が円形とは異なる基本形状、たとえば長円、角柱、円錐台、またはこれらの組み合せ、もしくはこれら以外の基本形状を有していてよい。
【００２４】
この新規の組付け装置は、製造技術的には、非常にさまざまな製造方法、たとえばプラスチックのプレスや射出成形、焼結、施削、穿孔、フライス削り、鋳込み、およびその他の方法を単独で、もしくは組み合せて用いることができる。この場合、特に本体は均一な物体であってよく、あるいは複数の個別の部品から組み立てられた物体であってよい。
【発明を実施するための最良の形態】
【００２５】
次に、本発明を、図に概略的に示す実施形態により詳しく説明する。
【００２６】
図１から図１２は、本発明による組付け装置の本体１をさまざまな実施形態で示している。図１ａに示す壁２２、たとえばタイルなどに取り付けられるべき取付部材の本体１は、ここには図示しない接着補助剤によって、まず壁２２で予め位置決めされる。その後、本体１に配置された充填開口部２を通して、接着剤もしくは接合剤を調量しながら中に入れる。接着・接合剤は分散していき、切欠き４で覆われている壁２２の領域が接着・接合剤で湿潤されるまで、本体１の裏面３に配置された切欠き４の中で広がる。
本体１は一体かつ円形に、および／またはプラスチックで形成されるのが好ましく、（上昇）開口部５を有しており、これらの開口部の間に（本例では３つの）貫通部７がそれぞれ形成されている。本体１の、壁２２と反対を向いているほうの前面は、本体１に接着・接合剤を充填した後、特にキャップ状に形成された閉止部材１５によって覆われ（図１３から図１５を参照）、そのようにして、見た目に隠されると同時に防護されるので、水や石灰の沈着、カビの発生などが予防され、キャップ状の閉止部材１５は、棚、タオル掛け、照明具、取付ホルダ、またはこれに類する備品などの定置の対象物を保持するための保持部材１６を有している。
【００２７】
図１と図２に示す実施形態では、余った接着・接合剤の排出は本体１にある（上昇）開口部５を通して行われ、および、穴付きプレートの形態で設けられ、または単層もしくは多層のガーゼ封入物の形態で設けられた、本体１の裏面にある切欠き４に配置されて機械で取り付けられた液体透過性かつ気体透過性の部材６によって部分的に行われる。このような穴付きプレートやガーゼ封入物は、接着・接合剤が硬化するときに生じる気体を外へ逃がすことを可能にする。そのために、さらに、本体１には少なくとも１つの追加の（本例では３つの）貫通部７が、それぞれの上昇開口部５同士の間に配置されている。それと同時に、周囲空気、特に空気の水分が接着・接合剤へ達することもでき、このことは、シリコン接着剤を使う場合に硬化プロセスを促進する。
【００２８】
図３と図４に示す本体１の実施形態では、上昇開口部が設けられていない。余った接着・接合剤は、この本体１の実施形態では、内方と外方に向かって液体透過性かつ気体透過性の部材６を通って流れ出る。
【００２９】
図５と図６に示す本体１の実施形態は、特に充填開口部２と同心に配置された貫通孔８を本体１に含んでおり、この貫通孔８の中にはスポンジ状の材料９が設けられている。このスポンジ状の材料９は、充填開口部２を通じて接着・接合剤が調量されながら充填された後、余った接着・接合剤を部分的に吸収し、本体１にある空気を充填時に逃がすことを可能にするだけでなく、接着・接合剤が硬化するときに生じる気体を逃がすことも可能にし、さらには、接着剤もしくは接合剤に向かって周囲空気が通り抜けることも可能にする。
図１から図４に示す実施形態と同じく、図５と図６に示すこの実施形態でも、液体透過性かつ気体透過性の部材６に代えて本例で用いられるスポンジ状の材料９は、適切な公知のやり方で本体１と機械的にしっかりと結合されている。
【００３０】
図７と図８に示す本体１のさらに他の実施形態では、本体１の全体が開放気孔材料でできており、この開放気孔材料は、本体１の切欠きにある空気が充填時に外へ逃げることを可能にするとともに、接着・接合剤が硬化するときに生じる気体や外へ逃げる結合剤が外へ逃げることを可能にし、周囲空気がこれに含まれる空気中の水分を含めて接着・接合剤と接触することを可能にすると同時に、部分的に、すなわちわずかな範囲内で、充填開口部２を通しての充填後に余った接着・接合剤を本体１に吸収する。
【００３１】
図９と図１０は、本体１を貫通する特に小さな多数の穴１０を有する本体１の有利な実施形態を示しており、これらの穴は、充填開口部２を通しての充填後に余った接着・接合剤を本体１に同じく吸収し、空気が切欠き４から外へ逃げたり、接着・接合剤が硬化するときに生じる気体が外へ逃げるのを可能にする。それと同時に、周囲空気が接着・接合剤と接触することが保証される。
【００３２】
図１１と図１２に示す他の有利な実施形態では、本体１の裏面３で特に縁部の近くの切欠き１２に配置された、スポンジ状の材料からなるリング１１が本体１に付属している。リング１１の端面の少なくとも一方が接着面１３を有していることにより、本体１を予め固定することができる。リング１１の厚さ１９によって、本体１の裏面３と、図示しない壁との間に切欠き４’が形成される。リング１１も同じく、そのスポンジ状の材料構造、特に硬質スポンジ状の材料構造に基づいて、接着・接合剤が硬化するときに生じる気体や結合剤を外へ逃がしたり、周囲空気が接着・接合剤と接触することを可能にする。余った接着剤もしくは接合剤は、特に同心に配置された（上昇）開口部１４に流れ込み、接着剤もしくは接合剤の充填開口部２は本体１の中心に配置されるのではなく、放射状に配置された上昇開口部１４のうちの１つであるのが好ましい。
【００３３】
図１３から図１５は、特にキャップ状に形成された閉止部材１５の実施形態を示している。キャップ状に形成された図１３の閉止部材１５は、その内側の外套面にネジ山１７を備えており、このネジ山１７によって本体１に被せてネジ止めすることができる。これに加えて閉止部材１５は、本例では特に壁と反対を向いているほうの表面に、摩擦および／または嵌合による接合によって閉止部材１５に取り付けられた定置の受け部材１６を有している。この受け部材１６は、すでに前に掲げたようなサニタリー分野の市販の日用品の保持部の一部と連結するのに用いられる。本例ではネジ付きボルトの形態で示されている受け部材１６は、差込接続具の一部、たとえばクリップ部材や、自己ロックをするように先細に製作されたばち形案内部などの案内部や、その他の公知の連結技術の部材であってよい。この受け部材は、閉止部材１５の外套面に設けられていてもよい。
【００３４】
図１４に示す閉止部材１５の実施形態は貫通孔１８を有しており、この貫通孔１８を通して、サニタリー用品の詳しくは図示しないそれ自体公知の連結部材を本体１に差し込むことができる。
【００３５】
図１５は、単なる閉じた飾りキャップとして設けられた閉止部材１５の実施形態を示しており、この飾りキャップに、通常は本体にも係合する、たとえばタッピンネジなどの保持部材を必要に応じて差し込むことができる。
【００３６】
本発明はこれらの実施形態に限定されるものではなく、開示内容の範囲内でさまざまに変更することができる。明細書および／または図面に開示されているすべての新規の個別の特徴および組み合せの特徴は本発明の要部であるとみなされる。
【図面の簡単な説明】
【００３７】
【図１】取付部材の本体の第１の実施形態を示す断面図である。
【図１ａ】新たな方法で壁に配置された図１の取付部材を示す図である。
【図２】図１の本体を示す平面図である。
【図３】取付部材の本体の第２の実施形態を示す断面図である。
【図４】図３の本体を示す平面図である。
【図５】取付部材の本体の第３の実施形態を示す断面図である。
【図６】図５の本体を示す平面図である。
【図７】取付部材の本体の第４の実施形態を示す断面図である。
【図８】図７の本体を示す平面図である。
【図９】取付部材の本体の第５の実施形態を示す断面図である。
【図１０】図９の本体を示す平面図である。
【図１１】取付部材の本体の第６の実施形態を示す断面図である。
【図１２】図１１の本体を示す平面図である。
【図１３】閉止部材の第１の実施形態を示す断面図である。
【図１４】閉止部材の第２の実施形態を示す断面図である。
【図１５】閉止部材の第３の実施形態を示す断面図である。
【符号の説明】
【００３８】
１  本体
２  充填開口部
３  本体の裏面
４，４’  本体１の裏面にある切欠き
５  開口部（換気開口部または上昇開口部）
６  液体透過性かつ気体透過性の部材
７  貫通部
８  貫通孔
９  スポンジ状の材料
１０  穴
１１  リング
１２  裏面の切欠き
１３  接着面
１４  上昇開口部
１５  閉止部材
１６  受け部材
１７  閉止部材のネジ山
１８  閉止部材の貫通孔
１９  リング１１の厚さ
２０  接着剤もしくは接合剤
２１  充填の方向
２２  壁
【国際公開パンフレット】
2005506497.tif 000003
2005506497.tif 000004
2005506497.tif 000005
2005506497.tif 000006
2005506497.tif 000007
2005506497.tif 000008
2005506497.tif 000009
2005506497.tif 000010
2005506497.tif 000011
2005506497.tif 000012
2005506497.tif 000013
2005506497.tif 000014
2005506497.tif 000015
2005506497.tif 000016
2005506497.tif 000017
2005506497.tif 000018
2005506497.tif 000019
2005506497.tif 000020
2005506497.tif 000021
2005506497.tif 000022
2005506497.tif 000023
2005506497.tif 000024
2005506497.tif 000025
2005506497.tif 000026
2005506497.tif 000027
2005506497.tif 000028
2005506497.tif 000029
2005506497.tif 000030
2005506497.tif 000031
2005506497.tif 000032
2005506497.tif 000033
2005506497.tif 000034
【国際調査報告】
2005506497.tif 000035
2005506497.tif 000036
2005506497.tif 000037
2005506497.tif 000038
2005506497.tif 000039
2005506497.tif 000040